(57)【要約】【課題】取扱説明書を筐体内部に装着可能となり、さらに、電池収納部を備えた装置、すなわち電池駆動する装置における電池の液漏れの問題や水没による動作不能の問題等の発生を従来よりも少なくする。【解決手段】電池が取り外し可能に収納される電池収納部３０Ａを備えた筐体１Ａであって、電池収納部３０Ａに、前記装置の取扱説明書を収納する取扱説明書収納部が併設され、電池収納部と取扱説明書収納部は共通の蓋２０により筐体外と仕切られている。取扱説明書収納部は、蓋２０の裏面側において板バネによって取扱説明書を蓋２０側へ押さえつけて固定している。【選択図】図１
2009004217.tif 000002
【特許請求の範囲】
【請求項１】
電池が取り外し可能に収納される電池収納部を備えた筐体であって、
電池収納部に、前記装置の取扱説明書を収納する取扱説明書収納部が併設され、
電池収納部と取扱説明書収納部は共通の蓋により筐体外と仕切られている筐体。
【請求項２】
取扱説明書収納部は前記蓋と隣接して設けられており、
前記蓋の取扱説明書収納部側に、取扱説明書を固定する固定部が設けられている、請求項１に記載の筐体。
【請求項３】
取扱説明書収納部上に電池収納部、前記蓋が順次積層された層構成であり、電池収納部が取り外し可能とされ、電池収納部が取り外されることで取扱説明書収納部が外部に露出するように構成され、
前記蓋が取り外された状態においては電池収納部のみが外部に露出し、電池収納部に収納された物を筐体外に取り出すことができ、
前記蓋及び電池収納部が取り外された状態においては取扱説明書収納部が外部に露出し、取扱説明書収納部に収納された取扱説明書を筐体外に取り出すことができるようにされた、請求項１に記載の筐体。
【請求項４】
取扱説明書収納部上に電池収納部、前記蓋が順次積層された層構成であり、電池収納部は一端を基軸として回動可能とされ、電池収納部が回動されることで取扱説明書収納部が外部に露出するように構成され、
前記蓋が取り外された状態においては電池収納部のみが外部に露出し、電池収納部に収納された物を筐体外に取り出すことができ、
前記蓋が取り外されかつ電池収納部が回動された状態においては取扱説明書収納部が外部に露出し、取扱説明書収納部に収納された取扱説明書を筐体外に取り出すことができるようにされた、請求項１に記載の筐体。
【請求項５】
電池収納部上に取扱説明書収納部、前記蓋が順次積層された層構成であり、取扱説明書収納部が取り外し可能とされ、
前記蓋が取り外された状態においては取扱説明書収納部のみが外部に露出し、当該取扱説明書収納部に収納された取扱説明書を筐体外に取り出すことができるようにされ、
前記蓋及び取扱説明書収納部が取り外された状態において電池収納部が外部に露出するように構成された、請求項１に記載の筐体。
【請求項６】
電池収納部上に取扱説明書収納部、前記蓋が順次積層された層構成であり、取扱説明書収納部は一端を基軸として回動可能に構成され、取扱説明書収納部が回動されることで電池収納部が外部に露出するように構成され、
前記蓋が取り外された状態においては取扱説明書収納部のみが外部に露出し、当該取扱説明書収納部に収納された取扱説明書を筐体外に取り出すことができるようにされ、
前記蓋が取り外されかつ取扱説明書収納部が回動された状態において電池収納部が外部に露出するように構成された、請求項１に記載の筐体。
【請求項７】
前記蓋が筐体に取り付けられた状態における蓋の厚さ方向に直交する平面の面積が蓋よりも取扱説明書収納部の方が大きく構成され、取扱説明書収納部には蓋よりも大きな面積の取扱説明書が収納可能とされた、請求項１に記載の筐体。
【請求項８】
前記蓋が筐体に取り付けられた状態における蓋の厚さ方向に直交する平面に投影した際、取扱説明書収納部の投影部は蓋と一部しか重複しない、又は重複しない位置に取扱説明書収納部が設けられた、請求項１に記載の筐体。
【発明の詳細な説明】
【技術分野】
【０００１】
取扱説明書の取扱説明書収納部が設けられた筐体に関する。
【背景技術】
【０００２】
従来、取扱説明書を筐体に収納する技術として種々の従来技術が提案されている（例えば、特許文献１乃至６を参照。）。
【０００３】
また、電池駆動する機種には、一般に、電池を脱着可能とする電池収納部を備えたものが一般に知られている。電池収納部は、筐体外部と内部とを仕切る蓋が一般に設けられる。
【０００４】
【特許文献１】特開昭６１−２３４０９６号公報
【特許文献２】実開平１−９７１５６号公報
【特許文献３】特開２００６−１７８１２７号公報
【特許文献４】特開２００３−１２３１３２号公報
【特許文献５】特開２００３−３０７３４号公報
【特許文献６】特開平１１−２４５３２号公報
【非特許文献１】国民生活センターホームページ（http://www.kokusen.go.jp/jirei/data/200109.html）
【発明の開示】
【発明が解決しようとする課題】
【０００５】
一方、電池の中には液漏れを起こすものが存在する。電池が液漏れすると、例えば蓋が筐体に固着するなどの問題が生じたり、場合によってはやけど等の問題が発生したりする（例えば、非特許文献１を参照。）。液が装置内部に浸入することによっても問題が引き起こされる。
電池駆動する機械は、一般に、内部に水が浸入すると故障してしまう場合がある。
【０００６】
本発明は、これらの問題を、電池収納部と取扱説明書取扱説明書収納部とを併設することで大幅に解消することを課題とする。
【課題を解決するための手段】
【０００７】
本発明に係る筐体は、電池が取り外し可能に収納される電池収納部を備えた筐体であって、電池収納部に、前記装置の取扱説明書を収納する取扱説明書収納部（取扱取扱説明書収納部）が併設され、電池収納部と取扱説明書収納部は共通の蓋により筐体外と仕切られている。
【０００８】
この構成を採用することで、電池収納部の蓋の他に、取扱説明書収納部を筐体外部と仕切るための蓋を別個設ける必要がなくなる。
電池で駆動する機械は、一般に小型であることが要請される一方、電池収納部と取扱説明書収納部とを別個に設けたり、それぞれのための蓋を別個に設けると装置が大きくなってしまう。上記のように電池収納部と取扱説明書収納部とを併設し、一つの蓋で筐体内外を仕切るようにすれば、別個に筐体内外を仕切る場合に比べて、筐体の大きさを小さくすることも可能となる。
当然、一つの蓋を開けることで、電池交換も可能で、取扱説明書の脱着も可能となる。
【０００９】
電池が液漏れを起こした場合、その液を取扱説明書収納部に導くことも可能となる。すなわち、液が蓋と筐体との間に入り込む可能性を、取扱説明書収納部が設けられていないものに比べて低くすることができる。したがって、液漏れに起因する問題（例えば、蓋が筐体から離れなくなってしまうという問題）が発生する確率を、従来よりも低くすることが可能となる。
【００１０】
筐体が水没した場合、装置内部に水が浸入し、装置が動作不能になってしまうという可能性を低くすることができる。上記蓋より水が浸入した場合、電池収納部から装置内部に水が浸入する前に取扱説明書収納部に水が浸入する可能性が出てくるため、装置内部に水が浸入してしまう可能性や、それによって装置が動作不能になってしまう可能性を低くすることが可能となる。また、一般に、取扱説明書は紙によって作製されるため、浸入してきた水を吸収し、水没による動作不能の可能性を、取扱説明書収納部が設けられていない場合よりもより低くすることが可能となる。
【００１１】
上記筐体において、蓋に取扱説明書収納部が設けられていてもよい。より具体的には、蓋に取扱説明書を固定するバネやゴム、仕切等の固定部が設けられ、取扱説明書収納部が前記蓋と隣接して設けられていてもよい。
【００１２】
このような構成を採用すれば、蓋を取り外せば、蓋に取扱説明書が固定されているため、取扱説明書の閲覧を容易にすることが可能となる。
【００１３】
筐体の断面方向において、取扱説明書収納部上に電池収納部、蓋が順次積層された層構成を採用してもよい。この場合、電池収納部が取り外し可能とされ、電池収納部が取り外されることで取扱説明書収納部が外部に露出するように構成したり、筐体の一部を軸として電池収納部が回動できるようにし、電池収納部を回動させることで取扱説明書収納部が外部に露出するように構成してもよい。つまり、前者の場合、蓋が取り外された状態においては電池収納部のみが外部に露出し、電池収納部に収納された物を筐体外に取り出すことができ、蓋及び電池収納部が取り外された状態においては取扱説明書収納部が外部に露出し、取扱説明書収納部に収納された取扱説明書を筐体外に取り出すことができるように構成されている。後者の場合、蓋が取り外された状態においては電池収納部のみが外部に露出し、電池収納部に収納された物を筐体外に取り出すことができ、蓋が取り外されかつ電池収納部が回動された状態においては取扱説明書収納部が外部に露出し、取扱説明書収納部に収納された取扱説明書を筐体外に取り出すことができるように構成されている。
【００１４】
このように構成すれば、上記した作用に加え、電池による液漏れの影響を装置内部に及ぼすことを、取扱説明書収納部によって防ぐことも可能となる。これらの構成は、電池交換が頻繁な装置に特に有用である。
【００１５】
また、筐体の断面方向において、電池収納部上に取扱説明書収納部、蓋が順次積層された層構成を採用してもよい。この場合、取扱説明書収納部が取り外し可能とされ、取扱説明書収納部が取り外されることで電池収納部が外部に露出するように構成したり、筐体の一部を軸として取扱説明書収納部が回動できるようにし、取扱説明書収納部を回動させることで電池収納部が外部に露出するように構成してもよい。つまり、前者の場合、蓋が取り外された状態においては取扱説明書収納部のみが外部に露出し、当該取扱説明書収納部に収納された取扱説明書を筐体外に取り出すことができるようにされ、蓋及び取扱説明書収納部が取り外された状態において電池収納部が外部に露出するように構成されている。後者の場合、蓋が取り外された状態においては取扱説明書収納部のみが外部に露出し、当該取扱説明書収納部に収納された取扱説明書を筐体外に取り出すことができるようにされ、蓋が取り外されかつ取扱説明書収納部が回動された状態において電池収納部が外部に露出するように構成されている。
【００１６】
このように構成すれば、電池よりも筐体側に取扱説明書収納部並びに取扱説明書が配置されるため、電池による液漏れによって筐体に蓋が固着してしまうといった問題を極めて効果的に防ぐことが可能となる。これらの構成は、取扱説明書の閲覧の頻度が電池交換の頻度よりも多いと予想される装置において特に有用である。
【００１７】
取扱説明書収納部に収納可能な取扱説明書の面積が蓋よりも大きくできるように、蓋が筐体に取り付けられた状態における蓋の厚さ方向に直交する平面の面積が蓋よりも取扱説明書収納部の方が大きく構成してもよい。
【００１８】
蓋を開けた際、電池収納部を外部に露出するようにするため、蓋が筐体に取り付けられた状態における蓋の厚さ方向に直交する平面に投影した際、取扱説明書収納部の投影部は蓋と一部しか重複しない、又は重複しない位置に取扱説明書収納部を設けてもよい。
【発明の効果】
【００１９】
本発明による筐体は、取扱説明書を筐体内部に装着可能となり、さらに、電池収納部を備えた装置、すなわち電池駆動する装置における電池の液漏れの問題や水没による動作不能の問題等の発生を従来よりも少なくすることが可能となる。
【発明を実施するための最良の形態】
【００２０】
以下、本発明にかかる実施の形態を、図面を参照しながら詳細に説明する。以下の説明においては、電池によって駆動される装置の電池収納部周辺について説明し、装置のその他の部分については説明を省略する。この装置は、ＡＣ電源等の他の電源によっても駆動可能であってもよい。また、各説明において、同等の構成については同一の符号を付し、重複する説明は省略する。
【実施例１】
【００２１】
図１に、第１の実施の形態に係る筐体における、電池収納部を覆う蓋が取り付けられる側を示した斜視図を示す。図１に示すように、筐体１Ａは、筐体本体１０Ａから蓋２０が取り外し可能とされている。筐体本体１０Ａには電池収納部３０Ａが設けられている。電池収納部３０Ａには電池が収納され、装置１が駆動するための電力を供給する。
蓋２０は、２つの爪２１が筐体本体１０Ａの図示しない穴にそれぞれ取り付けられた後、係合片２２が筐体１Ａに設けられた係合部３１と係合し、筐体１Ａに固定される。筐体１Ａにおける係合部３１の周囲は、係合片２２の操作を指で行うことができるようにするために筐体１Ａが内側に抉られた形状の操作部３２が設けられている。
【００２２】
図２に、図１に示す蓋２０の裏面側（筐体内部側）から見た構成を示す。蓋２０の裏面側には、取扱説明書取付部４１Ａ〜４１Ｄが設けられている。各取扱説明書取付部４１は、支柱４２と板バネ４３とで構成されており、図３に示すように、取扱説明書Ｍは板バネ４３と蓋２０とに挟持され固定される。すなわち、本実施の形態においては、蓋２０及び各取扱説明書取付部４１によって図４に示す取扱説明書収納部４０Ａが構成されている。
【００２３】
図４は、図３に示す図におけるＹ−Ｙ’断面図である。図４に示すように、取扱説明書Ｍは、一端が支柱４２Ａ、４２Ｄに固定された板バネ４３Ａ、４３Ｄによって蓋２０に固定されている。蓋２０と板バネ４３Ａ〜４３Ｄで囲まれた領域が取扱説明書収納部４０Ａである。
【００２４】
図５は、図１に示された図において、蓋２０が筐体本体１０Ａに取り付けられ、かつ、取扱説明書Ｍが板バネ４３に挟持され、電池Ｂが電池収納部３０Ａに収納された状態におけるＸ−Ｘ’断面図である。なお、説明容易のため、取扱説明書取付部４１も図示している。図５に示すように、筐体１Ａは、一つの蓋２０によって筐体外と遮断される空間内に取扱説明書Ｍを収納する部分（取扱説明書収納部４０Ａ）と電池Ｂを収納する部分（電池収納部３０Ａ）とを備えている。特に、本構成においては、電池収納部３０Ａ上に取扱説明書収納部４０Ａ、さらにその上に蓋２０が順次積層された層構成を採用している。
図示しないが、電池収納部３０Ａ内部と筐体本体１０Ａ内部の回路・機構とは配線によって電気的に接続されている。
【００２５】
本実施の形態に係る筐体１Ａは、以上の構成を備えているため、特に以下の作用・効果を奏する。
（Ａ）電池収納部の蓋と取扱説明書収納部の蓋との２つの蓋を１つの蓋２０で兼用している。したがって、蓋２０を筐体本体１０から脱着するだけで、電池Ｂの出し入れと取扱説明書Ｍの出し入れが可能となる。特に、本構成においては、蓋２０に取扱説明書収納部４０Ａが設けられているため、蓋２０をはずすだけで、電池Ｂと取扱説明書Ｍのいずれの出し入れも可能となる。
【００２６】
（Ｂ）電池Ｂから液が漏れた場合、その一部又は全部は取扱説明書収納部４０Ａ、すなわち取扱説明書Ｍに付着する。そのため、液が蓋２０と筐体本体１０Ａの間に浸透して固化し両者を固着してしまうという可能性を低くすることができる。また、液が筐体１Ａ外へ出てしまう可能性も低くすることができる。
なお、取扱説明書Ｍが取扱説明書収納部４０Ａに固着されてしまう場合があるが、一般に取扱説明書Ｍは紙等で作製されているため、液が固化しても、液が付着した部分のみを切り取る等すれば取扱説明書Ｍを取り出すことが可能となる。なお、本筐体１Ａに収納される取扱説明書Ｍは、以上のように、電池Ｂからの液を受け止める役割も担うため、切り取り等がしやすい紙や薄いプラスチック等で構成されることが好ましく、切り取り等が行われることを想定して、電池収納部３０Ａに面する側、すなわち表紙側とその反対側（裏表紙側）に余白ページを一ページ若しくは数ページ設けることが好ましい。
【００２７】
（Ｃ）筐体１Ａが水没した際、筐体１Ａの内側に水が浸透する可能性を低くできる。従来の筐体と比べ、取扱説明書収納部４０Ａの分、体積が大きく、取扱説明書収納部並びに電池収納部３０が水を受け止めることができるため、さらに内部に浸入する可能性を低くできるからである。
また、取扱説明書Ｍは、一般に紙で構成されているため、水を吸収しやすい。したがって、取扱説明書収納部４０Ａに収納する取扱説明書Ｍを、吸水性のある（好ましくは吸水性の高い）紙等で作製されたものとすれば、本作用はより効果的に奏する。
【００２８】
以上の構成は、例えば図６に示すように変形することもできる。図６に示す蓋２０は、支柱４２及び板バネ４３の代わりに、蓋と一体整形された収納部（取扱説明書収納部）４０Ａ’が設けられている。取扱説明書Ｍは、取扱説明書収納部の開口部４０Ａ’−１を介して当該収納部４０Ａ’に出し入れされる。
この構成を採用すれば、上記（Ｂ）及び（Ｃ）の作用・効果がより好適に得られる。電池Ｂからの液や外部からの水が、電池収納部３０Ａや筐体１Ａ内部と物理的に遮蔽された空間に導入されるためである。
【実施例２】
【００２９】
図７に、本実施の形態に係る第２の筐体１Ｂは、取扱説明書収納部４０Ｂ上に電池収納部３０Ｂ、蓋２０が順次積層された層構成が採用されている。取扱説明書収納部４０Ｂと電池収納部３０Ｂとの間には、筐体本体１０Ｂから脱着可能な仕切り板１１が設けられている。仕切り板１１の電池収納部３０Ｂ側には、電池の配置位置を規制する規制部１２が形成されている。
蓋２０が取り外されると電池収納部３０Ｂが外部に露出し、電池Ｂの出し入れが可能となる。この状態においてさらに仕切り板１１が取り外されると取扱説明書収納部４０Ｂが外部に露出し、取扱説明書Ｍの出し入れが可能となる（図８を参照。）。
電池収納部３０Ｂと筐体本体１０Ｂとの間には、両者を電気的に接続する図示しない配線が設けられており、電池収納部３０Ｂに収納された電池Ｂから供給される電力によって筐体本体１０Ｂ内部の装置（回路・機構）が駆動できるようにされている。この配線は、電池収納部３０Ｂが筐体１０Ｂから取り外された際には切断され、電池収納部３０Ｂが筐体１０Ｂに取り付けられた際には接続するようにされている。
【００３０】
以上の構成を採用すれば、上記（Ａ）、（Ｃ）と同様の作用・効果だけでなく、さらに以下の作用・効果も奏する。
（Ａ１）蓋２０を取り外した状態（通常の状態）においては、電池収納部３０Ｂのみが外部に露出する。したがって、電池交換の頻度が取扱説明書の出し入れよりも頻度よりも多い装置に好適に採用される。
【００３１】
（Ｂ１）電池Ｂからの液を取扱説明書収納部４０Ｂが受け止めるため、当該液が装置内部に浸透してしまう可能性や量を小さくすることができる。
【００３２】
上記した筐体１Ｂは、図９に示すように構成することもできる。図９に示される筐体１Ｂの仕切り板１１は、その一辺において回動子１３を中心に筐体本体１０Ｂと回動可能に構成されている。図１０に示すように、蓋２０を取り外し、さらに仕切り板１１を回動させて初めて取扱説明書収納部４０Ｂが外部に露出するようにされている。
【００３３】
この構成を採用すれば、上記作用・効果に加え、さらに以下の作用・効果を奏する。
（Ｄ）仕切り板１１を紛失する可能性をなくせる。仕切り板１１が筐体１Ｂに結合しているからである。
【実施例３】
【００３４】
図１１に、第３の実施の形態に係る筐体１Ｃの構成を説明するための断面図を示す。図１１に示すように、筐体１Ｃは、電池収納部３０Ｃ上に取扱説明書収納部４０Ｃ、蓋２０が順次積層された構成が採用される。電池収納部３０Ｃと取扱説明書収納部４０Ｃとは仕切り板１１Ｃによって仕切られている。仕切り板１１Ｃは、筐体本体１０Ｃと脱着可能に構成されている。
【００３５】
図１２に示すように、筐体１Ｃは、蓋２０が取り外された状態においては取扱説明書収納部４０Ｃのみが外部に露出するようにされている。この状態においてさらに仕切り板１１Ｃが取り外されると初めて電池収納部３０Ｃが外部に露出する。
【００３６】
以上の構成を採用すれば、上記（Ａ）乃至（Ｃ）と同様の作用・効果だけでなく、さらに以下の作用・効果も奏する。
（Ａ２）蓋２０を取り外した状態（通所の状態）においては、取扱説明書収納部４０Ｃのみが外部に露出する。したがって、操作が難しいといった問題を有する、取扱説明書Ｍの利用頻度が電池Ｂの交換頻度よりも高いことが想定される装置に好適に採用される。
【００３７】
上記した筐体１Ｃは、図１３に示すように構成することもできる。図１３に示される筐体１Ｃの仕切り板１１Ｃは、その一辺において回転子１３Ｃを中心に筐体１０Ｃと回動可能に構成されている。図１４に示すように、蓋２０を取り外し、さらに仕切り板１１Ｃを回動させて初めて取扱説明書収納部４０Ｃが外部に露出するようにされている。
この構成を採用すれば、上記（Ａ）〜（Ｄ）の作用・効果を奏する。
【実施例４】
【００３８】
図１５に、本実施の形態に係る第４の筐体１Ｄの構成を示す。筐体１Ｄは、筐体１Ｃの構成において、取扱説明書収納部４０Ｄが、蓋２０が取り外された際に外部に露出する部分４０Ｄ１と、これに連続する筐体内側に設けられた部分４０Ｄ２とで構成されている。取扱説明書Ｍは、４０Ｄ１〜４０Ｄ２に延在して配置される。
【００３９】
筐体１Ｄは、図１６に示すように、蓋２０が取り外された状態において取扱説明書Ｍの出し入れが可能とされる。取扱説明書Ｍを取り出す場合には、取扱説明書Ｍの部分４０Ｄ１側に存する側を挟持し、取扱説明書Ｍを筐体本体１０Ｄ外側に折り曲げるようにする。取扱説明書Ｍを収納する場合には、一端を部分４０Ｄ２にまず収納した後、他端を部分４０Ｄ１に担持させる。
筐体１Ｄから蓋２０、取扱説明書Ｍ、仕切り板１１Ｄを順次取り外すと電池収納部３０Ｄが外部に露出し、電池Ｂの出し入れが可能となる。
【００４０】
以上の構成を採用すれば、上記した作用・効果に加え、さらに以下の作用・効果を奏する。
（Ｅ）蓋２０の面積（電池収納部３０Ｄの断面積）よりも大きな面積の取扱説明書Ｍを収納することが可能となる。
【００４１】
なお、仕切り板１１Ｄを筐体本体１０Ｄと回動可能に構成したり、筐体１Ｂのように取扱説明書収納部４０Ｄ上に電池収納部３０Ｄ、蓋２０が積層された層構成にする変形も適宜可能である。
【実施例５】
【００４２】
図１７に、本実施の形態に係る第５の筐体１Ｅの構成を示す。筐体１Ｅは、電池収納部３０Ｅと取扱説明書収納部４０Ｅとが並列して設けられ、１つの蓋２０によって筐体１Ｅ外部と遮蔽されている。図１８に示すように、蓋２０が取り外されることで、電池収納部３０Ｅも取扱説明書収納部４０Ｅも外部に露出する。
この構成を採用しても、上記同等の作用・効果を奏する。
【００４３】
以上の説明は、本発明の好適な実施形態に係るものであり、本発明は、上記説明に拘泥して解釈されるものではなく、その要旨を変更しない範囲で適宜変形して実施することができる。
【図面の簡単な説明】
【００４４】
【図１】本実施の形態に係る、取説収納部が蓋に付随した構成が採用された筐体の斜視図である。
【図２】図１に係る筐体における蓋の裏面側（筐体に装着された際、筐体内側に面している側）から蓋の様子を示した背面図である。
【図３】図２に係る蓋に取扱説明書を収納した様子を示した背面図である。
【図４】図３に係る蓋のＸ−Ｘ’断面図である。
【図５】図１に係る筐体において、筐体に蓋が装着された状態におけるＹ−Ｙ’断面図である。
【図６】本実施の形態に係る、取扱収納部が蓋に付随した他の構成を示した斜視図である。
【図７】本実施の形態に係る、取扱説明書収納部上に電池収納部、蓋が順次積層された層構成の構造が採用された筐体を説明するための断面図である。
【図８】図７に係る筐体において、蓋及び電池収納部が筐体から取り外されて、取扱説明書収納部に収納された取扱説明書を出し入れできる状態にされた様子を説明するための断面図である。
【図９】本実施の形態に係る、取扱説明書収納部上に電池収納部、蓋が順次積層された層構成の構造が採用された他の筐体を説明するための断面図である。
【図１０】図８に係る筐体において、蓋が筐体から取り外され、電池収納部が回動され、取扱説明書収納部に収納された取扱説明書を出し入れできる状態にされた様子を説明するための断面図である。
【図１１】本実施の形態に係る、電池収納部上に取扱説明書収納部、蓋が順次積層された層構成の構造が採用された筐体を説明するための断面図である。
【図１２】図１１に係る筐体において、蓋及び取扱説明書収納部が筐体から取り外されて、電池収納部に収納された電池を出し入れできる状態にされた様子を説明するための断面図である。
【図１３】本実施の形態に係る、電池収納部上に取扱説明書収納部、蓋が順次積層された層構成の構造が採用された他の筐体を説明するための断面図である。
【図１４】図１３に係る筐体において、蓋が筐体から取り外され、取扱説明書収納部が回動され、電池収納部に収納された電池を出し入れできる状態にされた様子を説明するための断面図である。
【図１５】本実施の形態に係る、蓋の面積よりも大きな取扱説明書が収納できる構成を説明するための断面図である。
【図１６】図１５に係る筐体において、筐体から蓋が取り外され、さらに、取扱収納部の仕切り板が取り外され、電池収納部が筐体外部に露出された状態を示した断面図である。
【図１７】本実施の形態に係るその他の構成を説明するための断面図である。
【図１８】図１７に示す筐体において、筐体から蓋が取り外され、取扱説明書収納部及び電池収納部が筐体外部に露出され、取扱説明書及び電池の出し入れが可能な状態にされた様子を示した断面図である。
【符号の説明】
【００４５】
１：筐体、装置
１０：筐体本体
１１：仕切り板
１３：回転子
２０：蓋
３０：電池収納部
４０：取扱説明書収納部
【図１】
2009004217.tif 000003
【図２】
2009004217.tif 000004
【図３】
2009004217.tif 000005
【図４】
2009004217.tif 000006
【図５】
2009004217.tif 000007
【図６】
2009004217.tif 000008
【図７】
2009004217.tif 000009
【図８】
2009004217.tif 000010
【図９】
2009004217.tif 000011
【図１０】
2009004217.tif 000012
【図１１】
2009004217.tif 000013
【図１２】
2009004217.tif 000014
【図１３】
2009004217.tif 000015
【図１４】
2009004217.tif 000016
【図１５】
2009004217.tif 000017
【図１６】
2009004217.tif 000018
【図１７】
2009004217.tif 000019
【図１８】
2009004217.tif 000020